(57)【要約】      （修正有）【課題】ビリヤード台を食卓などの他の用途にも使用できるようにした開閉式ビリヤード台を提供する。【解決手段】上部板１１及び上部板１１を支持する支持部１２を含むテーブル本体１０と、上部板１１を覆う少なくとも一つ以上の開閉部２０と、一側部は上部板１１に連結され、他側部は開閉部２０と連結されている駆動部６０を含んで構成し、開閉部２０を駆動部６０によって回転させて上部板１１を覆ったり開放させたりすることができるように構成した。【選択図】図１
2012000450.tif 000002
【特許請求の範囲】
【請求項１】
上面にビリヤードの玉が置かれる陥没空間が形成された上部板及び前記上部板を地面上に支持する支持部を持つテーブル本体と、前記上部板の前記陥没空間上に設置される板材形態の開閉部と、一側部は前記上部板に連結され他側部は前記開閉部に連結され前記開閉部を移動させる駆動部とが具備された開閉式ビリヤード台において、前記駆動部は、前記上部板の一側部に連結されヒンジ軸を中心に上下移動される受け部と、前記開閉部に設置されて前記受け部に結合されて当該受け部に沿って直線移動されるスライディング部と、一側部が前記受け部と連結される前記ヒンジ軸とこのヒンジ軸の他側部に連結された状態で前記上部板に固定結合される固定板を持つ回動部と、一側部は前記の上部板に連結され他側部は前記開閉部に連結され前記上部板の上下回動速度を遅らせるための速度制御部と、を含んで構成されたことを特徴とする、開閉式ビリヤード台。
【請求項２】
前記請求項１において、
前記受け部は前記上部板から一側部側に突き出されたフレーム形態で成り立っており、前記スライディング部は前記受け部に結合されるスライドレール形態で成り立っていることをさらに特徴とする、開閉式ビリヤード台。
【請求項３】
前記請求項１において、
前記速度制御部は、シリンダー本体と、一端部が前記シリンダー本体と接続されるシリンダーロードを具備しており、
前記シリンダーロードは他端部が前記受け部か前記固定板のいずれか一方に回動可能になるように結合されると共に、
前記シリンダー本体は一端部が前記受け部か前記固定板のいずれか他方に回動可能になるように結合されることをさらに特徴とする、開閉式ビリヤード台。
【請求項４】
前記請求項１において、
前記開閉部は、前記スライディング部と結合される第１開閉板と、前記第１開閉板の一端部側に位置される第２開閉板と、前記第１開閉板と第２開閉板を連結するヒンジとをさらに含むことを特徴とする、開閉式ビリヤード台。
【請求項５】
前記請求項１において、
前記駆動部は、前記上部板の一側端部に設置される少なくとも一つ以上の第１支持バーと、
一側部は前記第１支持バーに回動可能になるように連結され他側部は前記上部板に連結される少なくとも一つ以上の第１連結部とをさらに含むことを特徴とする、開閉式ビリヤード台。
【請求項６】
前記請求項１において、
前記駆動部は、前記上部板に設置される少なくとも一つ以上のガイド溝部と、前記ガイド溝部に挿入されて移動するスライディングバーと、一側部は前記スライディングバーに回動可能となるように連結され、他側部は前記上部板に連結される第２連結部とをさらに含むことを特徴とする、開閉式ビリヤード台。
【請求項７】
請求項１において、
前記駆動部は、前記上部板と連結されている少なくとも一つ以上の第３支持バーと、前記第３支持バーに付いて移動する固定部と、一側部は前記開閉部と連結されていて他側部は固定部の一側部と連結されている第３連結部と、前記固定部の他側部に連結されている弾性部材と、
前記第３支持バーと前記第３連結部に連結されている滑車部とをさらに含むことを特徴とする、開閉式ビリヤード台。
【請求項８】
前記請求項７において、
前記滑車部は、前記上部板に連結されている、第１滑車と、前記第１滑車と間隔を置いて設置される第２滑車と、前記第１滑車と前記第２滑車を連結させて前記固定部を貫くケーブル部と、前記ケーブル部に連結されると共に、前記固定部に接する少なくとも一つ以上の制御部とをさらに含むことを特徴とする、開閉式ビリヤード台。
【発明の詳細な説明】
【技術分野】
【０００１】
本発明は、ビリヤード台に関する。より詳しくは別に用意した開閉板によってビリヤード台の上部面を開閉するようにしてビリヤード台以外の他の用途にも使うことができる開閉式ビリヤード台に関する。
【背景技術】
【０００２】
周知のように、ビリヤードは老若男女を問わず楽しむことのできる大衆的なスポーツである。しかし、ビリヤード場でビリヤードゲー厶をする場合、閉鎖的な雰囲気やタバコの煙、騷音或はゲーム費用などによってビリヤード場へ行くことを躊躇する場合が多い。このことから、最近は個人的に家庭にビリヤード台を設置してビリヤードを楽しむ人口が増えている。しかし、ビリヤード台の特性上、家庭に設置する場合、ビリヤード台が広いスペースを必要とする割には、使われる用途がビリヤードを楽しむ用途にだけ限定されることで、ビリヤードを楽しまない人にとってはビリヤード台はただ不必要な設置スペースを占める邪魔な道具でしかない。
【発明の概要】
【発明が解決しようとする課題】
【０００３】
本発明が解決しようとする課題は、別に用意した開閉板によってビリヤード台の上部面を開閉できるようにしてビリヤード台以外の他の用途でも、兼ねて使うことができる開閉式ビリヤード台を提供しようとするものである。
【課題を解決するための手段】
【０００４】
上記課題を達成するために、本発明の実施例による開閉式ビリヤード台は、上面にビリヤードの玉が置かれる陥没空間が形成された上部板及び前記の上部板を地面上に支持する支持部を有するテーブル本体と、前記上部板の前記陥没空間上に設置される板材形態の開閉部と、一側部は前記の上部板に連結され他側部は前記開閉部に連結され前記開閉部を移動させる駆動部とが具備された開閉式ビリヤード台において、前記の駆動部は、前記の上部板の一側部に連結されヒンジ軸を中心に上下移動される受け部と、前記開閉部に設置され前記受け部に結合されて受け部に沿って直線移動されるスライディング部と、一側部が前記受け部と連結されるヒンジ軸及び前記ヒンジ軸の他側部に連結された状態で前記の上部板に固定結合される固定板を持つ回動部と、一側部は前記の上部板に連結され他側部は前記開閉部に連結され前記の上部板の上下回動速度を遅らせるための速度制御部と、を含んで構成されたことを特徴とする。
【０００５】
さらに、本発明に係る開閉式ビリヤード台は、前記受け部を、前記の上部板から一側部側に突き出されたフレーム形態で構成し、前記スライディング部を前記受け部に結合されるスライドレール形態で構成することができる。
【０００６】
さらに、本発明に係る開閉式ビリヤード台の前記速度制御部は、シリンダー本体及び一端部が前記シリンダー本体と連結されるシリンダーロードを具備し、このシリンダーロードの他端部は前記受け部と前記固定板の中でどれ一つに回動可能になるように結合されて、前記シリンダー本体は、一端部が前記受け部と前記固定板の中で他のどれ一つに回動可能になるように結合させることができる。
【０００７】
さらに、本発明に係る開閉式ビリヤード台の前記開閉部は、前記スライディング部と結合される第1開閉板と前記第1開閉板の一端部に位置される第2開閉板からなり、前記第1開閉板と第2開閉板を連結して構成される。
【０００８】
さらに、本発明に係る開閉式ビリヤード台の前記駆動部は、前記の上部板一側端部に設置される少なくとも一つ以上の第1支持バーと、一側部は前記第1支持バーに回動可能になるように連結され他側部は前記の上部板に連結される少なくとも一つ以上の第1連結部と、を含んで構成することができる。
【０００９】
さらに、本発明に係る開閉式ビリヤード台の前記駆動部は、前記上部板に設置される少なくとも一つ以上のガイド溝部と、前記ガイド溝部に挿入されて移動するスライディングバーと、一側部は前記スライディングバーに回動可能になるように連結され、他側部は前記の上部板に連結される第2連結部と、を含んで構成することができる。
【００１０】
さらに、本発明に係る開閉式ビリヤード台の前記駆動部は、前記上部板と連結されている少なくとも一つ以上の第３支持バーの当該第３支持バーに沿って移動する固定部と、一側部は前記開閉部と連結されていて他側部は固定部の一側部と連結されている第３連結部と、前記固定部の他側部に連結されている弾性部材と、前記第３支持バーと前記第３連結部に連結されている滑車部と、を含んで構成することができる。
【００１１】
さらに、本発明に係る開閉式ビリヤード台の前記滑車部は、前記の上部板に連結されている第１滑車と、前記第１滑車と間隔を置いて設置される第２滑車と、前記第１滑車と前記第２滑車を連結させている前記固定部を貫くケーブル部と、前記ケーブル部に連結されている前記固定部に接する少なくとも一つ以上の制御部と、を含んでいる。
【発明の効果】
【００１２】
本発明の実施例による開閉式ビリヤード台は、上部板の上面が開閉板によって開閉されるので、ビリヤードゲームをする時には開閉板を開いて使用でき、開閉板を閉めた状態では食卓や机などで活用することができる長所がある。さらに、開閉板が駆動部によってテーブル本体と結合された状態で開閉されるので、開閉が容易なだけではなく、紛失も防止することができる長所もある。さらに、開閉板の開閉速度が速度制御部によって制御されるので、開閉過程で開閉板とテーブル部との間の衝突による破損も防止することができる長所がある。
【図面の簡単な説明】
【００１３】
【図１】本発明に係る開閉式ビリヤード台の開閉部が分離した状態を示す斜視図である。
【図２】本発明に係る開閉式ビリヤード台の固定部の設置構造を示す説明図である。
【図３】本発明に係る開閉式ビリヤード台のスライディング部が第1開閉板に設置された状態を示す斜視図である。
【図４】本発明に係る開閉式ビリヤード台の開閉部が上部板を覆った状態を示した斜視図である。
【図５】本発明に係る開閉式ビリヤード台の図４の状態における駆動部の設置構造を示す斜視図である。
【図６】本発明に係る開閉式ビリヤード台の開閉部が上部板を覆った状態を示す一部正面断面図である。
【図７】本発明に係る開閉式ビリヤード台の第１開閉板を折り畳んだ状態を説明する説明図である。
【図８】本発明に係る第１開閉部をスライディング移動させた状態を示す説明図である。
【図９】本発明に係る第1開閉部が回動部を中心に下に向けて回転された状態を示す説明図である。
【図１０】本発明に係る開閉式ビリヤード台の他の実施例を示し、開閉部で上部板を覆った状態を示す斜視図である。
【図１１】本発明に係る開閉式ビリヤード台の一方の開閉部が開放された状態を示した斜視図である。
【図１２】図１０に示した開閉式ビリヤード台の側断面図である。
【図１３】本発明に係る開閉式ビリヤード台の開閉部が覆われた状態の正面図である。
【図１４】本発明に係る開閉式ビリヤード台の開閉部が開放された状態を示した正面図である。
【図１５】本発明に係る開閉式ビリヤード台のさらに他の実施例の全体斜視図である。
【図１６】本発明に係る開閉式ビリヤード台の駆動部の拡大斜視図である。
【図１７】本発明に係る開閉式ビリヤード台のさらに他の実施例を示す斜視図である。
【図１８】本発明に係る開閉式ビリヤード台の開閉部が開放された状態を示した斜視図である。
【図１９】本発明に係る開閉式ビリヤード台の動作を説明する説明図である。
【図２０】本発明に係る開閉式ビリヤード台の駆動部の構造を示した斜視図である。
【図２１】本発明に係る開閉式ビリヤード台の駆動部の一部拡大斜視図である。
【発明を実施するための形態】
【００１４】
以下、本発明が属する技術分野で通常の知識を有する者が容易に実施するように、本発明の実施例を添付した図面を参照にして詳しく説明する。しかし、本発明はいろいろ相異なっている形態に具現されることができるし、ここで説明する実施例に限定されない。明細書全体を通じて類似の部分に対しては同一の図面符号を付けた。
【実施例１】
【００１５】
以下に、本発明の実施例１による開閉式ビリヤード台を図１乃至図９を参照して説明する。図１乃至図６に示したように、開閉式ビリヤード台(１)はテーブル本体(１０)、開閉部(２０)、そして駆動部(６０)を含んで構成される。
【００１６】
テーブル本体(１０)は基本的なビリヤード台構造で成り立っている。即ち、地面上に支柱の役目をする支持部(１２)の上端に実際にビリヤードゲームが成り立つ上部板(１１)が載せられた構造である。上部板(１１)の上面には、そのほとんど全体面積に渡って陥没空間(１１a)が形成されており、この陥没空間(１１a)内でビリヤードの玉の移動ができる構成となっている。尚、テーブル本体(１０)は、上部板(１１)の厚さを厚く製作して地面上に直接設置される構造で製作して支持部(１２)を省略する場合もある。テーブル本体(１０)の上部板(１１)には開閉部(２０)が設置されている。
【００１７】
この開閉部(２０)は、陥没空間(１１a)の上面を実質的に開閉可能に覆う機能を有し、第１開閉部(２０a)と第２開閉部(２０b)とで構成されている。第１開閉部(２０a)は、陥没空間(１１a)の中央地点を基点として片側半分の面積を開閉可能に覆うもので、第１開閉板(２１)と第２開閉板(２２)及び第１ヒンジ(２３)で構成されている。第１開閉板(２１)は、上部板(１１)の上面前後幅とほとんど等しい幅を持って上部板(１１)左右幅の１/４位の幅を持つ単純四角形状の板材で成り立っており、上部板(１１)の上面一側部に安着設置になる。第２開閉板(２２)は第１開閉板(２１)と等しい面積及び等しい形状で成り立っていて、一側面が第１開閉板(２１)の一方エッジ面に触れ合った状態に位置されている。第１ヒンジ(２３)は、第１開閉板(２１)と第２開閉板(２２)の間に位置されるが、中心軸(２３a)を中心に一側部は第１開閉板(２１)内部でめりこんで固定され、他側部は第２開閉板(２２)内部にめりこんで固定された状態で設置されている。
【００１８】
したがって、第１開閉板(２１)と第２開閉板(２２)は、第１ヒンジ(２３)によって相互連結され第２開閉板(２２)が第１ヒンジ(２３)を中心に回動されて第１開閉板(２１)上に重ね合わすことのできる構成である。すなわち、第１開閉板（２１）と第２開閉板（２２）は、全体的に折り畳んだ構造に成る。
【００１９】
次に、第２開閉部(２０b)は第１開閉部(２０a)と対称構造で成り立っている。すなわち、第１開閉板(２１)と対称される位置に同一大きさの第３開閉板(２４)が位置されており、第２開閉板(２２)の対称される位置に同一大きさの第４開閉板(２５)が位置されている。第３開閉板(２４)と第４開閉板(２５)の間には、第２ヒンジ(２６)が設置されるによって第３、４開閉板(２４)(２５)も相互に折り畳み可能な構成を持っている。
【００２０】
尚、第１開閉部(２０a)と第２開閉部(２０b)は折り畳んだ構造を適用しないでそれぞれ一枚の板材、すなわち、第１開閉板(２１)と第３開閉板(２４)の面積をふやして第１、３開閉板(２１)(２４)だけで上部板(１１)の上面全体を覆うようにすることもできる。したがって、この場合第２、第４開閉板(２２)(２５)は省略される。また、第１開閉部(２０a)は折り畳んだ構成とし、第２開閉部(２０b)を一つの板材形態とすることもできる。さらに、第２開閉部(２０b)を略して第１開閉部(２０a)だけで上部板(１１)の上面全体を覆うことができるようにすることもできる。
【００２１】
次に、開閉部(２０)とテーブル本体(１０)には駆動部(６０)が設置される。前記駆動部(６０)は、開閉部(２０)とテーブル本体(１０)との間の連結及び開閉部(２０)の開閉動作を誘導する機能を有するもので、第１開閉部(２０a)の開閉のための第１駆動部(６０a)と第２開閉部(２０b)の開閉のための第２駆動部(６０b)とで構成されている。
【００２２】
第１駆動部(６０a)は、さらに回動部(６２)と、受け部(６４)と、スライディング部(６６)及び速度制御部(６８)を含んで構成されている。回動部(６２)は、第１開閉部(２０a)の第１開閉板(２１)の回動誘導機能を行ない、ヒンジ軸(６２a)一側部に回動板(６２b)端部が連結され、ヒンジ軸(６２a)の他側部には固定板(６２c)端部が連結された構造の、すなわちヒンジ構造となっている。固定板(６２c)は、他端部が上部板(１１)の一側部の枠面にめりこんで固定され、この状態で回動板(６２b)がヒンジ軸(６２a)を中心に上下回動される構造で設置されている。そして、回動板(６２b)は上部板(１１)の底面と水平状態に位置されており、この状態でヒンジ軸(６２a)を中心に上下回動されるように設置されている。
【００２３】
もちろん、ここのところは、固定板(６２c)を上部板(１１)に差し込まないで上部板(１１)枠面上に付着した形態に固定させることもできる。また、回動部(６２)と共に駆動部(６０)を構成する受け部(６４)は、第１開閉板(２１)が一側部側に引き出しされる過程でスライディング経路案内の役目を果すもので、板材形態で成り立っていて一端部が回動板(６２b)に連結され、回動板(６２b)の一側端部から延長された形態で設置されている。
【００２４】
そして、受け部(６４)が回動板(６２b)とともにヒンジ軸(６２a)を中心に上下方向へ回動される構造である。さらに、受け部(６４)の両側部には、受け部長さ方向に沿って上側を向けて垂直に曲折された第１結合片(６４a)が形成されて後述するスライディング部(６６)と結合するものである。このスライディング部(６６)は第１開閉部(２０a)の引き出し過程で円滑なスライディングを誘導する役目をするもので、レール本体(６６a)に第２結合片(６６ｂ)及びガイドボール(６６d)が具備されたスライドレール構造で成り立っている。
【００２５】
レール本体(６６a)は、第１開閉板(２１)とほとんど等しい長さの棒状の板材形態で成り立つが、両側部には下方へ向けて垂直に折り曲げられた第２結合片(６６b)が形成されるによって、両第２結合片(６６b)の間にスライディング空間(６６c)が形成されている。そして、各第２結合片(６６b)の内側面には、スライディング過程で第１結合片(６４a)と第２結合片(６６b)との間の摩擦抵抗を減らすためのガイドボール(６６d)が、長さ方向に沿って配置され、各ガイドボール(６６d)が回動可能になるように設置されている。スライディング部(６６)は、第１開閉板(２１)の下部面に取り付けられた状態で受け部(６４)上に支承されて第２結合片(６６b)が各第１結合片(６４a)の間に挟まれて各第２結合片(６６b)がガイドボール(６６d)に接触された状態になる。
【００２６】
したがって、このようなスライディング部(６６)と受け部(６４)との間の結合構造によって、第１開閉部(２０ａ）は受け部(６４)に支承された状態でスライディング部(６６)の長さ方向に沿って直線方向へ移動可能な構造となっている。
【００２７】
尚、受け部(６４)とスライディング部(６６)は構造を相互反対に実施されることもできる。すなわち、受け部(６４)の第１結合片(６４a)にガイドボール(６６d)が形成され、スライディング部(６６)の第２結合片(６６b)が第１結合片(６４a)間の空間に挟まれる構造にも変更することができる。また、スライディング部(６６)の構造も図面及び前記の説明に限定されない。例えばガイドボール(６６d)を省略することができるし、スライディング部(６６)と受け部(６４)の間の結合構造は、第１，２結合片(６４a)(６６b)を形成させないでスライディング部(６６)の底部に長さ方向に沿って溝形態のレールを形成し、このようなレールに受け部(６４)が直接挟まれた形態に変形することもできる。さらに、スライディング部(６６)を、別途製作した後第１開閉板(２１)に結合する方式ではなく、第１開閉板(２１)の下部面自体をスライディングレール形態に加工して相互一体化させることもできる。さらに、回動部(６２)の回動板(６２b)を省略して受け部(６４)がヒンジ軸(６２a)に直接連結される構造に変更することもできる。
【００２８】
回動部(６２)と受け部(６４)及びスライディング部(６６)で成る駆動部(６０)は、速度制御部(６８)をさらに含んでいる。速度制御部(６８)は、第１開閉板(２１)が回動部(６２)を介して下側に回動される過程で回動速度を遅らせて衝突などを防止する役目を果すもので、シリンダー本体(６８a)及びシリンダー本体(６８a)から一側部側に引き出しされたシリンダーロード(６８b)を含んでいる。シリンダー本体(６８a)の一端部は受け部(６４)の底面に回動可能となるように連結され、シリンダーロード(６８b)の一端部は回動部(６２)の固定板(６２c)に回動可能になるように連結されている。
【００２９】
図６に示したように、受け部(６４)が固定板(６２c)に対して垂直状態の時、すなわち、第１開閉板(２１)が地面と水平状態に位置された状態では、シリンダーロード(６８b)はシリンダー本体(６８a)から引き出された状態で設置されている。
【００３０】
尚、シリンダー本体(６８a)は、スライド部(６６)や第１開閉板(２１)の底面に直接連結させることができるし、シリンダーロード(６８b)もビリヤード台本体(１０)の上部板(１１)や支持部(１２)に連結させることができる。さらに、シリンダーロード(６８b)とシリンダー本体(６８a)は上記の構造と反対位置、すなわち、シリンダー本体(６８a)が固定板(６２c)に連結されシリンダーロード(６８b)が受け部(６４)に連結される構造に変更することができる。さらに、速度制御部(６８)は、開閉部(２０)の重さ等によって油圧または空圧シリンダーの中から選択的に適用することができる。
【００３１】
そして、シリンダー構造以外に両端部が受け部(６４)と固定板(６２c)に連結されるスプリングで変形具現させることができるし、この外にもスポンジやゴム等を用いることもできる。さらに、第１開閉板(２１)の底面と固定板(６２c)の間に位置されて第１開閉部(２０a)が下側に回動する過程で第１開閉部(２０a)の回動速度を遅らせることができる材質及び構造であれば、とくに限定はない。以上のように構成した第１駆動部(６０a)は、第１開閉板(２１)の底面左右両側に対称配置される。もちろんこの第１駆動部（６０ａ）は、３個以上設置されたり、第１開閉板(２１)底面の中間に一つだけ設置されるようにしても良い。
【００３２】
次に、第２開閉部(２０b)には、当該第２開閉部(２０b)の開閉過程を誘導するための第２駆動部(６０b)が設置され、この第２駆動部(６０b)は第１駆動部(６０a)と等しい構造及び等しい形態で設置されるので、第２駆動部(６０b)の具体的な説明は省略する。
【００３３】
以下、本発明の実施例１に係る開閉式ビリヤード台の動作を説明する。
【００３４】
図４及び図６に示したように、第１、第２開閉部(２０a)(２０b)が上部板(１１)を覆っている状態でビリヤードゲームをしようとする場合には、まず図７に示したように、第１ヒンジ(２３)を中心に第２開閉板(２２)を回転させて第１開閉板(２１)上に重ね合わせる。この状態で、図８に示したように、第１開閉板(２１)を一側部側へ引っぱれば、スライディング部(６６)と受け部(６４)との間スライディング構造によって第１、2開閉板(２１)(２２)がスライディングされながら外側に引き出しされる。次いで、このように引き出しされた状態で手を離せば、図９の矢印で示したように、それ自身の重さによって第１、２開閉板(２１)(２２)は、スライディング部(６６)と受け部(６４)と共に回動部(６２)を中心に下方へ９０°回転する。
【００３５】
このように受け部(６４)が下側に回転する過程で、速度制御部(６８)のシリンダーロード(６８b)がシリンダー本体(６８a)内部に入って行くようになるが、この時、シリンダー本体(６８a)内部には油圧または空圧による支持圧力が形成されている状態となることからシリンダーロード(６８b)の挿入速度が遅延されて、これにより第１、２開閉板(２１)(２２)の回転速度も遅延される。
【００３６】
したがって、第１開閉板(２１)の回転過程で手を放しても第１開閉板(２１)と上部板(１１)または支持部(１２)の間の衝突を防止して衝突によって衝撃が回動部(６２)に伝達されることを防止することができるものである。すなわち、速度制御部(６８)は開閉部(２０)の回動速度を遅らせることによって緩衝機能を果すことになる。
【００３７】
このように第１開閉部(２０a)の回動が完了すれば、上部板(１１)の半分が完全に開放された状態になり、前記の過程と等しい方法で第２開閉部(２０b)を開放させれば、上部板(１１)の陥没部(１１a)が完全に開放されてビリヤード台として機能ができるようになる。その後また、食卓などで使おうとする場合には、まず第１、第２開閉板(２１)(２２)を回動部(６２)を中心に上方へ９０°持ち上げた後、上部板(１１)の方向へ押せば、受け部(６４)とスライディング部(６６)によってスライディングされて上部板(１１)上に載置される。この状態から、第１ヒンジ(２３)を中心に第２開閉板(２２)を広げれば、上部板(１１)の上面半分が覆われた状態になる。次いで、これと等しい方式で第２開閉部(２０b)を移動させて上部板(１１)の残り半分を覆えば、上部板(１１)の上面全体が開閉部(２０)によって覆われ、平たい状態になって食卓やテーブル、机など他の用途で使うことができるようになる。
【００３８】
このように、この実施例１のものは、ビリヤード台の上面の開閉構造を持つようにして食卓や机など他の用途で使用が可能にし、駆動部を通じて開閉板の円滑な開閉及び衝撃防止機能を一緒に持つことができる。
【実施例２】
【００３９】
図１０乃至図１４は本発明に係る開閉式ビリヤード台の実施例２を示す図面である。この実施例２によれば、前の実施例１と基本的な概念、すなわち開閉部を利用してビリヤード台上部板を開閉する構造は同じであるが、駆動部の構造が異なっている。したがって、この実施例２は実施例１と開閉部(２０)の構造が同一であるので、この開閉部(２０)の構造の具体的な説明は省略する。
【００４０】
この実施例２における駆動部(３０)は、少なくとも一つ以上の第１支持バー(３１)と少なくとも一つ以上の第１連結部(３２)を有している。第１支持バー(３１)は上部板(１１)の両側部を貫通している。例えば、上部板(１１)の両端の外板の部分を貫通することができる。第１連結部(３２)の一側部は、上部板(１１)を貫通した第１支持バー(３１)の両側端にそれぞれ連結され、他側部は開閉部(２０)と連結されている。これにより、第１連結部(３２)は第１支持バー(３１)を中心軸にして回転するようになる。この時に、第１連結部(３２)と連結された開閉部(２０')も回転する。すなわち、第１連結部(３２)が、第１支持バー(３１)を中心軸に回転することによって、開閉部(２０')は上部板(１１)を覆ったり或は開放させたりすることができる。
【００４１】
この実施例２に係る開閉式ビリヤード台(１)について整理すると、開閉式ビリヤード台(１)は、上部板(１１)と支持部(１２)が含まれたテーブル本体(１０)と、上部板(１１)を覆う少なくとも一つ以上の開閉板(２０)と、上部板(１１)と開閉部(２０)を連結させる少なくとも一つ以上の駆動部(３０)とを含んでいる。開閉部(２０)は、ヒンジ結合された第１部材(２１)と第２部材(２２)が含まれ、駆動部(３０)は、図１２に示したように上部板(１１)を貫通した第１支持バー(３１)の両端部に第１支持バー(３１)と連結された第１連結部(３２)が含まれている。第１連結部(３２)は第１支持バー(３１)を中心軸に正方向回転、或は、逆方向で回転する。第１連結部(３２)の他側部と連結された開閉部(２０)は、正方向回転、或は、逆方向で回転して上部板(１１)を覆ったり開放したりすることができる。開放された後の開閉部(２０)は、第１連結部(３２)と連結された状態でテーブル本体(１０)と分離してテーブル本体(１０)側面に位置される。
【００４２】
また、支持部(１２)には、キュー収納部と一般収納部(図示されていない。)を設けることができる。キュー収納部と一般収納部には、キュー台やビリヤードの玉及び他の用品を収納させることで、キュー台やビリヤードの玉などが紛失することを防止できるし、空間活用度も高めることができるものである。
【実施例３】
【００４３】
図１５及び図１６は実施例３に係る開閉式ビリヤード台の図面である。この実施例３でも前記実施例１と実施例２の開閉部の構造は同一であるので具体的な説明は省略する。図示されたように、駆動部(３０Ａ)は、上部板(１１)内に挿入固定されている少なくとも一つ以上のガイド溝部材(３５)と、このガイド溝部材(３５)に挿入されて移動するスライディングバー(３４)と、一側部はスライディングバー(３４)の一側部と連結され、他側部は開閉部(２０)と連結される第２連結部(３６)と、スライディングバー(３４)を貫通して第２連結部(３６)と連結されている第２支持バー(３１)とを含んでいる。この実施例３において、第２支持バー(３１)は、スライディングバー(３４)を貫通した第２連結部(３６)と連結されているので、テーブル本体(１０)とは分離されている。
【００４４】
この実施例３における駆動部(３０Ａ)をより詳しく説明すると、第２連結部(３６)と連結された状態でテーブル本体(１０)と分離してテーブル本体(１０)側面に配置されている開閉部(２０)で上部板(１１)を覆う場合には、テーブル本体(１０)と連結されたガイド溝部(３５)の外側方向でスライディングバー(３４)を押しながら第２支持バー(３１)を中心軸に第２連結部(３６)を回転させる。これにより、第２連結部(３６)と連結されている開閉部(２０)も回転して、これによって開閉部(２０)は上部板(１１)を覆うことになる。次に、上部板(１１)を開放するためには、以上の説明と反対に第２支持バー(３１)を中心軸に第２連結部(３６)を回転させた後、スライディングバー(３４)をガイド溝部(３５)の内側方向で押せば良い。このことによって、開閉部(２０)は、第２連結部(３６)と連結された状態でテーブル本体(１０)側面に配置されることになる。
【実施例４】
【００４５】
図１７乃至図２１は実施例４に係る開閉式ビリヤード台に関する図面である。この実施例４についても駆動部を除いた他の構成部材は、前記の実施例１〜３と同一であるので具体的な説明はと省略する。図示されたように、この実施例４での駆動部(３０Ｂ)は、第３支持バー(３９)と固定部(４２)及び第３連結部(４３)とを含んでおり、さらに、滑車部(４４)を含んでいる。この実施例４に係る駆動部(３０Ｂ)は、ビリヤード台の一方にだけ設置されてもよいが、他の実施例１〜３のものと同じく開閉部(２０)の大きさを小さくしてビリヤード台１の両側にそれぞれ設置することもできる。この実施例４において、第３支持バー(３９)は、上部板(１１)の下部両側左右に連結されている。固定部(４２)は、第３支持バー(３９)を収容して、第３支持バー(３９)の長手方向に沿って移動することができる。第３連結部(４３)の一側部は開閉部(２０)と連結されていて、他側部は固定部(４２)の一側部と連結されている。弾性部材部(４８)は弾性部材であるスプリング(４９)と、このスプリング(４９)を収容し、固定部(４２)の他側部に連結される収容部(５０)を含んでおり、この弾性部材部(４８)によって開閉部(２０)が回転される時に、スムーズに回転させることができるものである。
【００４６】
また、滑車部(４４)は開閉部(５０)を移動させる時に、柔軟に移動させるガイドの役目をする。また、滑車部(４４)は、第１滑車(４５)と、第２滑車(４６)と、ケーブル部(４７)と、制御部(５１)とを含んでいる。第１滑車(４５)は上部板(１１)に連結され、第２滑車(４６)もまた上部板(１１)に連結されているが、第１滑車(４５)とは所定距離が離れて配置されている。ケーブル部(４７)は固定部(４２)を貫通して第１滑車(４５)と第２滑車(４６)に連結されている。制御部(５１)はケーブル部(４７)に連結されている上に、固定部(４２)の貫通された部位に接している。制御部(５１)は玉形状であり、固定部(４２)の貫通された部位より大きく固定部(４２)の貫通された部位を通過することができない。制御部(５１)は固定部(４２)の貫通された部位を基準として固定部(４２)の両側にそれぞれ形成されている。開閉部(２０)が移動する時、二つの制御部(５１)のうち、移動される側とは反対方向の制御部(５１)が固定部(４２)に接し、これによって制御部(５１)も固定部(４２)によって移動するようになっている。このような制御部(５１)によって、第１滑車(４５)と第２滑車(４６)の間でケーブル部(４７)も、滑らかに往復回転をしながら固定部(４２)をガイドさせるものである。尚、制御部(５１)は固定部(４２)の一方にだけ形成させることができる。
【００４７】
整理すると、第３連結部(４３)と連結された状態で、テーブル本体(１０)と分離してテーブル本体(１０)側面に配置されている開閉部(２０)で上部板(１１)に覆おうとすれば、開閉部(２０)を回転させた後、テーブル本体(１０)と連結された第３支持バー(３９)の長手方向で固定部(４２)を押すことにより、開閉部(２０)は上部板(１１)を覆うようになる。この時、滑車部(４４)によって開閉部(２０)は、より滑らかに上部板(１１)を覆うことになる。
【００４８】
以上、本発明の望ましい実施例について詳細に説明したが、本発明の権利範囲は前記実施例１乃至実施例４に限定されるのではなく、特許請求範囲で定義している本発明の基本概念を利用した当業者の多くの変形及び改良形態も本発明の権利範囲に属するものである。
【符号の説明】
【００４９】
１:  開閉式ビリヤード台          １０:  テーブル本体
１１:  上部板                    １２:  支持部
２０、２０’:  開閉部            ２１:  第１ 開閉板
２２:  第２開閉板                ２３:  第１ ヒンジ
６０:  駆動部                    ６２:  回動部
６４:  受け部                    ６６:  スライディング部
６８:  速度制御部
【図１】
2012000450.tif 000003
【図２】
2012000450.tif 000004
【図３】
2012000450.tif 000005
【図４】
2012000450.tif 000006
【図５】
2012000450.tif 000007
【図６】
2012000450.tif 000008
【図７】
2012000450.tif 000009
【図８】
2012000450.tif 000010
【図９】
2012000450.tif 000011
【図１０】
2012000450.tif 000012
【図１１】
2012000450.tif 000013
【図１２】
2012000450.tif 000014
【図１３】
2012000450.tif 000015
【図１４】
2012000450.tif 000016
【図１５】
2012000450.tif 000017
【図１６】
2012000450.tif 000018
【図１７】
2012000450.tif 000019
【図１８】
2012000450.tif 000020
【図１９】
2012000450.tif 000021
【図２０】
2012000450.tif 000022
【図２１】
2012000450.tif 000023